(57)【要約】【課題】  固体光源としてレーザ光源を用いるケースでは、固体光源から光が出射されている状態で、ユーザが投写型映像表示装置の筐体に近づくことは好ましくない。そこで、固体光源から光が出射されている状態で、ユーザが筐体に近づくことを抑制する投写型映像表示装置を提供することを目的とする。【解決手段】  本発明の投写型映像表示装置１００は、光源ユニット１１０と、光源から出射される光を変調する色合成分離ユニット１４０と、色合成分離ユニット１４０から出射される光を投写面３００上に投写する投写ユニット１５０とを収容する筐体２００とを備える。投写型映像表示装置は、第１側面側側壁２５０に設けられ、筐体内で生じたエラーの詳細情報を表示する第１インタフェース１９０Ａと、前面側側壁２２０に設けられ、筐体内で生じたエラーのレベルを表示する第２インタフェース１９０Ｂと、を備える。【選択図】          図１
2010243909.tif 000002
【特許請求の範囲】
【請求項１】
固体光源と、前記固体光源から出射される光を変調する光変調素子と、前記光変調素子から出射される光を投写面上に投写する投写ユニットとを収容する筐体とを備える投写型映像表示装置であって、
前記投写面に平行な水平方向において前記筐体の両端を形成する両側壁のうち、少なくとも一方の側壁に設けられ、前記筐体内で生じたエラーの詳細情報を表示する第１インタフェースと、
前記筐体の両端を形成する両側壁に挟まれた複数の面のうち、配置面を除くいずれかの面に設けられ、前記筐体内で生じたエラーのレベルを表示する第２インタフェースと、
を備えることを特徴とする投写型映像表示装置。
【請求項２】
請求項１記載の投写型映像表示装置において、
前記第１インタフェースには、外部機器との接続可能な端子を備えることを特徴とする投写型映像表示装置。
【発明の詳細な説明】
【技術分野】
【０００１】
本発明は、固体光源と、固体光源から出射される光を変調する光変調素子と、光変調素子からから出射される光を投写面上に投写する投写ユニットとを備える投写型映像表示装置に関する。
【背景技術】
【０００２】
近年、レーザ光源などの固体光源と、固体光源から出射される光を変調する光変調素子と、光変調素子から出射される光を投写面上に投写する投写ユニットとを収容する筐体を有する投写型映像表示装置が知られている。
【０００３】
ここで、投写面上に映像を大きく表示するためには、投写ユニットと投写面との距離を長くとる必要がある。これに対して、投写ユニットから出射される光を投写面側に反射する反射ミラーを利用して、投写ユニットと投写面との距離の短縮を図った投写型映像表示システムが提案されている（例えば、特許文献１）。
【０００４】
また、監視領域に人体等が侵入した場合に、侵入者に回避行動を促すメッセージを出力する投写型映像表示装置も提案されている（例えば、特許文献２）。
【先行技術文献】
【特許文献】
【０００５】
【特許文献１】特開２００６−２３５５１６号公報
【特許文献２】特開２００４−０７０２９８号公報
【発明の概要】
【発明が解決しようとする課題】
【０００６】
ところで、固体光源としてレーザ光源を用いるケースでは、固体光源から光が出射されている状態で、ユーザが投写型映像表示装置の筐体に近づくことは好ましくない。
【０００７】
そこで、本発明は、上述した課題を解決するためになされたものであり、固体光源から光が出射されている状態で、ユーザが筐体に近づくことを抑制することを可能とする投写型映像表示装置を提供することを目的とする。
【課題を解決するための手段】
【０００８】
上記の課題を解決するための本発明の第１の態様は、投写型映像表示装置（投写型映像表示装置１００）であって、固体光源（赤固体光源１１１Ｒ、緑固体光源１１１Ｇ、青固体光源１１１Ｂ）と、前記固体光源から出射される光を変調する光変調素子（ＤＭＤ５００Ｒ、ＤＭＤ５００Ｇ、ＤＭＤ５００Ｂ）と、前記光変調素子から出射される光を投写面上に投写する投写ユニット（投写ユニット１５０）とを収容する筐体（筐体２００）とを備える。投写型映像表示装置は、前記投写面に平行な水平方向において前記筐体の両端を形成する両側壁のうち、少なくとも一方の側壁（例えば、第１側面側側壁２５０）に設けられ、前記筐体内で生じたエラーの詳細情報を表示する第１インタフェース（例えば、デジタル表示器６１３）と、前記筐体の両端を形成する両側壁に挟まれた複数の面のうち、配置面を除くいずれかの面（例えば、前面側側壁２２０）に設けられ、前記筐体内で生じたエラーのレベルを表示する第２インタフェース（例えば、ＬＥＤ表示器６１６）と、を備える。
【０００９】
かかる態様によれば、表示するデータ量が多くなる詳細情報については、ユーザが投写面を観察している位置からは隠されている。従って、エラー表示が投写される映像の妨げになることを抑制できる。一方、ユーザは、投写面を観察している位置から、投写型映像表示装置の状態やエラーのレベルを知ることができる。これにより、固体光源から光が出射されている状態で、ユーザが筐体に近づくことを抑制することができる。
【００１０】
上記第１の態様において、投写型映像表示装置は、前記第１インタフェースには、外部機器との接続可能な端子（例えば、電源端子６１０）を備える。これにより、電源ケーブルを電源端子から抜き挿しする場合や、映像入力ケーブルを映像端子に抜き挿しする場合において、ユーザが筐体の前面側側壁に近づく必要がない。
【発明の効果】
【００１１】
本発明によれば、固体光源から光が出射されている状態で、ユーザが筐体に近づくことを抑制することを可能とする投写型映像表示装置を提供することができる。
【図面の簡単な説明】
【００１２】
【図１】第１実施形態に係る投写型映像表示装置１００の構成を示す図である。
【図２】第１実施形態に係る投写型映像表示装置１００を側方から見た図である。
【図３】第１実施形態に係る投写型映像表示装置１００を前方から見た図である。
【図４】第１実施形態に係る投写型映像表示装置１００を上方から見た図である。
【図５】第１実施形態に係る光源ユニット１１０の構成を示す図である。
【図６】第１実施形態に係る色合成分離ユニット１４０及び投写ユニット１５０の構成を示す図である。
【図７】第１実施形態に係る第１Ｉ／Ｆ１９０Ａの構成を示す図である。
【図８】第１実施形態に係る第２Ｉ／Ｆ１９０Ｂの構成を示す図である。
【図９】第１実施形態に係る投写型映像表示装置１００に設けられた制御ユニット７００を示すブロック図である。
【図１０】変形例１に係る投写型映像表示装置１００を示す斜視図である。
【図１１】第２実施形態に係る投写型映像表示装置１００を側方から見た図である。
【発明を実施するための形態】
【００１３】
以下において、本発明の実施形態に係る投写型映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
〔実施形態の概要〕
本実施形態に係る投写型映像表示装置は、固体光源と、固体光源から出射される光を変調する光変調素子と、光変調素子から出射される光を投写面上に投写する投写ユニットとを収容する筐体とを備える。投写型映像表示装置は、投写面に平行な水平方向において筐体の両端を形成する両側壁のうち、少なくとも一方の側壁に設けられ、筐体内で生じたエラーの詳細情報を表示する第１インタフェースと、筐体の両端を形成する両側壁に挟まれた複数の壁面のうち、配置面を除くいずれかの側壁に設けられ、筐体内で生じたエラーのレベルを表示する第２インタフェースと、を備える。
【００１６】
本実施の形態では、表示するデータ量が多くなる詳細情報については、ユーザが投写面を観察している位置からは隠されている。従って、エラー表示が投写される映像の妨げになることを抑制できる。一方、ユーザは、投写面を観察している位置から、投写型映像表示装置の状態やエラーのレベルを知ることができる。これにより、固体光源から光が出射されている状態で、ユーザが筐体に近づくことを抑制することができる。
【００１７】
加えて、投写型映像表示装置は、第１インタフェースには、外部機器との接続可能な端子を備える。これにより、電源ケーブルを電源端子から抜き挿しする場合や、映像入力ケーブルを映像端子に抜き挿しする場合において、ユーザが筐体の前面側側壁に近づく必要がない。
【００１８】
〔第１実施形態〕
（投写型映像表示装置の構成）
以下において、第１実施形態に係る投写型映像表示装置の構成について、図面を参照しながら説明する。図１は、第１実施形態に係る投写型映像表示装置１００を示す斜視図である。図２は、第１実施形態に係る投写型映像表示装置１００を側方から見た図である。図３は、第１実施形態に係る投写型映像表示装置１００を前方から見た図である。
【００１９】
図１、図２及び図３に示すように、投写型映像表示装置１００は、筐体２００を有しており、投写面３００に映像を投写する。投写型映像表示装置１００は、第１配置面（図２に示す壁面４２０）と第１配置面に略垂直な第２配置面（図２に示す床面４１０）とに沿って配置される。
【００２０】
ここで、第１実施形態では、投写型映像表示装置１００が壁面に設けられた投写面３００に映像光を投写するケースについて例示する（壁面投写）。このようなケースにおける筐体２００の配置を壁面投写配置と称する。第１実施形態では、投写面３００と略平行な第１配置面は壁面４２０である。
【００２１】
第１実施形態では、投写面３００に平行な水平方向を“幅方向”と称する。投写面３００の法線方向を“奥行き方向”と称する。幅方向及び奥行き方向の双方に直交する方向を“高さ方向”と称する。
【００２２】
筐体２００は、略直方体形状を有する。奥行き方向における筐体２００のサイズ及び高さ方向における筐体２００のサイズは、幅方向における筐体２００のサイズよりも小さい。奥行き方向における筐体２００のサイズは、反射ミラー（図２に示す凹面ミラー１５２）から投写面３００までの投写距離と略等しい。幅方向において、筐体２００のサイズは、投写面３００のサイズと略等しい。高さ方向において、筐体２００のサイズは、投写面３００が設けられる位置に応じて定められる。
【００２３】
具体的には、筐体２００は、投写面側側壁２１０と、前面側側壁２２０と、底面板２３０と、天板２４０と、第１側面側側壁２５０と、第２側面側側壁２６０とを有する。
【００２４】
投写面側側壁２１０は、投写面３００と略平行な第１配置面（第１実施形態では、壁面４２０）と対向する板状の部材である。前面側側壁２２０は、投写面側側壁２１０の反対側に設けられた板状の部材である。底面板２３０は、投写面３００と略平行な第１配置面以外の第２配置面（第１実施形態では、床面４１０）と対向する板状の部材である。天板２４０は、底面板２３０の反対側に設けられた板状の部材である。第１側面側側壁２５０及び第２側面側側壁２６０は、幅方向において筐体２００の両端を形成する板状の部材である。
【００２５】
筐体２００は、光源ユニット１１０と、電源ユニット１２０と、冷却ユニット１３０と、色分離合成ユニット１４０と、投写ユニット１５０とを収容する。投写面側側壁２１０は、投写面側凹部１６０Ａ及び投写面側凹部１６０Ｂを有する。前面側側壁２２０は、前面側凸部１７０を有する。天板２４０は、天板凹部１８０を有する。第１側面側側壁２５０は、ケーブル端子１９０を有する。
【００２６】
光源ユニット１１０は、複数の固体光源（図５に示す固体光源１１１）によって構成されるユニットである。各固体光源は、ＬＤ（Ｌａｓｅｒ  Ｄｉｏｄｅ）などの光源である。第１実施形態では、光源ユニット１１０には、赤成分光Ｒを出射する赤固体光源（図５に示す赤固体光源１１１Ｒ）、緑成分光Ｇを出射する緑固体光源（図５に示す緑固体光源１１１Ｇ）、青成分光Ｂを出射する青固体光源（図５に示す青固体光源１１１Ｂ）を有する。光源ユニット１１０の詳細については後述する（図５を参照）。
【００２７】
電源ユニット１２０は、投写型映像表示装置１００に電力を供給するユニットである。例えば、電源ユニット１２０は、光源ユニット１１０及び冷却ユニット１３０に電力を供給する。
【００２８】
冷却ユニット１３０は、光源ユニット１１０に設けられた複数の固体光源を冷却するユニットである。具体的には、冷却ユニット１３０は、各固体光源を載置する冷却ジャケット（図５に示す冷却ジャケット１３１）を冷却することによって、各固体光源を冷却する。
【００２９】
なお、冷却ユニット１３０は、各固体光源以外にも、電源ユニット１２０や光変調素子（後述するＤＭＤ５００）を冷却するように構成されている。
【００３０】
色分離合成ユニット１４０は、赤固体光源から出射された赤成分光Ｒ、緑固体光源から出射された緑成分光Ｇ、青固体光源から出射された青成分光Ｂを合成する。また、色分離合成ユニット１４０は、赤成分光Ｒ、緑成分光Ｇ及び青成分光Ｂを含む合成光を分離して、赤成分光Ｒ、緑成分光Ｇ及び青成分光Ｂを変調する。さらに、色分離合成ユニット１４０は、赤成分光Ｒ、緑成分光Ｇ及び青成分光Ｂを再合成して、映像光を投写ユニット１５０に出射する。色分離合成ユニット１４０の詳細については後述する（図６を参照）。
【００３１】
投写ユニット１５０は、色分離合成ユニット１４０から出射された光（映像光）を投写面３００に投写する。具体的には、投写ユニット１５０は、色分離合成ユニット１４０から出射された光を投写面３００上に投写する投写レンズ群（図６に示す投写レンズ群１５１）と、投写レンズ群から出射された光を投写面３００側に反射する反射ミラー（図６に示す凹面ミラー１５２）とを有する。投写ユニット１５０の詳細については後述する。
【００３２】
投写面側凹部１６０Ａ及び投写面側凹部１６０Ｂは、投写面側側壁２１０に設けられており、筐体２００の内側に窪む形状を有する。投写面側凹部１６０Ａ及び投写面側凹部１６０Ｂは、筐体２００の端まで延びている。投写面側凹部１６０Ａ及び投写面側凹部１６０Ｂには、筐体２００の内側に連通する通気口が設けられる。
【００３３】
第１実施形態では、投写面側凹部１６０Ａ及び投写面側凹部１６０Ｂは、筐体２００の幅方向に沿って延びている。例えば、投写面側凹部１６０Ａには、筐体２００の外側の空気を筐体２００の内側に入れるための吸気口が通気口として設けられる。投写面側凹部１６０Ｂには、筐体２００の内側の空気を筐体２００の外側に出すための排気口が通気口として設けられる。
【００３４】
前面側凸部１７０は、前面側側壁２２０に設けられており、筐体２００の外側に張り出す形状を有する。前面側凸部１７０は、筐体２００の幅方向において、前面側側壁２２０の略中央に設けられる。筐体２００の内側において前面側凸部１７０によって形成される空間には、投写ユニット１５０に設けられた反射ミラー（図６に示す凹面ミラー１５２）が収容される。
【００３５】
天板凹部１８０は、天板２４０に設けられており、筐体２００の内側に窪む形状を有する。天板凹部１８０は、投写面３００側に向けて下る傾斜面１８１を有する。傾斜面１８１は、投写ユニット１５０から出射された光を投写面３００側に透過（投写）する透過領域を有する。この透過領域は、透明なガラスや合成樹脂によって、傾斜面１８１の一部として設けられる。開口ではなく、透明領域を設けることによって、筐体２００内部に塵埃が侵入することを防ぐことができる。
【００３６】
第１インタフェース（以下、Ｉ／Ｆと略記する。）１９０Ａは、第１側面側側壁２５０に設けられており、電源端子、映像端子、各種回路へのブレーカ及び詳細なエラー情報を表示する表示器などの端子である。
【００３７】
ここで、本明細書においてＩ／Ｆとは、投写型映像表示装置１００とその外部との接続部分を表すものとする。従って、商用電源などの電力供給源との接続端子、パーソナルコンピュータなどの映像供給源との接続端子、ユーザが操作するブレーカなどのスイッチ、ユーザへ投写型映像表示装置１００内部の状態を報知する表示器、ユーザの操作によって送信された信号を受信する受信部などを総称するものとする。なお、第１Ｉ／Ｆ１９０Ａは、第２側面側側壁２６０に設けられてもよい。
【００３８】
第２Ｉ／Ｆ１９０Ｂは、前面側側壁２２０に設けられており、図示しないリモートコントローラからの受光部とエラーのレベルをユーザに報知する表示部である。第１Ｉ／Ｆ１９０Ａ及び第２Ｉ／Ｆ１９０Ｂの詳細については後述する（図７及び図８を参照）。
【００３９】
（筐体の幅方向における各ユニットの配置）
以下において、第１実施形態に係る幅方向における各ユニットの配置について、図面を参照しながら説明する。図４は、第１実施形態に係る投写型映像表示装置１００を上方から見た図である。
【００４０】
図４に示すように、投写ユニット１５０は、投写面３００に平行な水平方向（筐体２００の幅方向）において、筐体２００の略中央に配置される。
【００４１】
光源ユニット１１０及び冷却ユニット１３０は、筐体２００の幅方向において、投写ユニット１５０と並んで配置される。具体的には、光源ユニット１１０は、筐体２００の幅方向において、投写ユニット１５０の一方（第２側面側側壁２６０側）に並んで配置される。冷却ユニット１３０は、筐体２００の幅方向において、投写ユニット１５０の他方（第１側面側側壁２５０側）に並んで配置される。
【００４２】
電源ユニット１２０は、筐体２００の幅方向において、投写ユニット１５０と並んで配置される。具体的には、電源ユニット１２０は、筐体２００の幅方向において、投写ユニット１５０に対して光源ユニット１１０側に並んで配置される。電源ユニット１２０は、投写ユニット１５０と光源ユニット１１０との間に配置されることが好ましい。
【００４３】
（光源ユニットの構成）
以下において、第１実施形態に係る光源ユニットの構成について、図面を参照しながら説明する。図５は、第１実施形態に係る光源ユニット１１０を示す図である。
【００４４】
図５に示すように、光源ユニット１１０は、複数の赤固体光源１１１Ｒ、複数の緑固体光源１１１Ｇ及び複数の青固体光源１１１Ｂによって構成される。
【００４５】
赤固体光源１１１Ｒは、上述したように、赤成分光Ｒを出射するＬＤなどの赤固体光源である。赤固体光源１１１Ｒは、ヘッド１１２Ｒを有しており、ヘッド１１２Ｒには、光ファイバー１１３Ｒが接続される。
【００４６】
各赤固体光源１１１Ｒのヘッド１１２Ｒに接続された光ファイバー１１３Ｒは、バンドル部１１４Ｒで束ねられる。すなわち、各赤固体光源１１１Ｒから出射された光は、各光ファイバー１１３Ｒによって伝達されて、バンドル部１１４Ｒに集められる。
【００４７】
赤固体光源１１１Ｒは、冷却ジャケット１３１Ｒに載置される。例えば、赤固体光源１１１Ｒは、ネジ止めなどによって冷却ジャケット１３１Ｒに固定される。赤固体光源１１１Ｒは、冷却ジャケット１３１Ｒによって冷却される。
【００４８】
緑固体光源１１１Ｇは、上述したように、緑成分光Ｇを出射するＬＤなどの緑固体光源である。緑固体光源１１１Ｇは、ヘッド１１２Ｇを有しており、ヘッド１１２Ｇには、光ファイバー１１３Ｇが接続される。
【００４９】
各緑固体光源１１１Ｇのヘッド１１２Ｇに接続された光ファイバー１１３Ｇは、バンドル部１１４Ｇで束ねられる。すなわち、各緑固体光源１１１Ｇから出射された光は、各光ファイバー１１３Ｇによって伝達されて、バンドル部１１４Ｇに集められる。
【００５０】
緑固体光源１１１Ｇは、冷却ジャケット１３１Ｇに載置される。例えば、緑固体光源１１１Ｇは、ネジ止めなどによって冷却ジャケット１３１Ｇに固定される。緑固体光源１１１Ｇは、冷却ジャケット１３１Ｇによって冷却される。
【００５１】
青固体光源１１１Ｂは、上述したように、青成分光Ｂを出射するＬＤなどの青固体光源である。青固体光源１１１Ｂは、ヘッド１１２Ｂを有しており、ヘッド１１２Ｂには、光ファイバー１１３Ｂが接続される。
【００５２】
各青固体光源１１１Ｂのヘッド１１２Ｂに接続された光ファイバー１１３Ｂは、バンドル部１１４Ｂで束ねられる。すなわち、各青固体光源１１１Ｂから出射された光は、各光ファイバー１１３Ｂによって伝達されて、バンドル部１１４Ｂに集められる。
【００５３】
青固体光源１１１Ｂは、冷却ジャケット１３１Ｂに載置される。例えば、青固体光源１１１Ｂは、ネジ止めなどによって冷却ジャケット１３１Ｂに固定される。青固体光源１１１Ｂは、冷却ジャケット１３１Ｂによって冷却される。
【００５４】
（色合成分離ユニット及び投写ユニットの構成）
以下において、第１実施形態に係る色合成分離ユニット及び投写ユニットの構成について、図面を参照しながら説明する。図６は、第１実施形態に係る色合成分離ユニット１４０及び投写ユニット１５０の構成を示す図である。第１実施形態では、３つのＤＭＤ（Ｄｉｇｉｔａｌ  Ｍｉｃｒｏ−ｍｉｒｒｏｒ  Ｄｅｖｉｃｅ）を用いる方式の投写型映像表示装置１００を例示する。
【００５５】
図６に示すように、色分離合成ユニット１４０は、第１ユニット１４１と、第２ユニット１４２とを有する。
【００５６】
第１ユニット１４１は、赤成分光Ｒ、緑成分光Ｇ及び青成分光Ｂを合成して、赤成分光Ｒ、緑成分光Ｇ及び青成分光Ｂを含む合成光を第２ユニット１４２に出射する。
【００５７】
具体的には、第１ユニット１４１は、複数のロッドインテグレータ（ロッドインテグレータ１０Ｒ、ロッドインテグレータ１０Ｇ及びロッドインテグレータ１０Ｂ）と、レンズ群（レンズ２１Ｒ、レンズ２１Ｇ、レンズ２１Ｂ、レンズ２２、レンズ２３）と、ミラー群（ミラー３１、ミラー３２、ミラー３３、ミラー３４及びミラー３５）とを有する。
【００５８】
ロッドインテグレータ１０Ｒは、光入射面と、光出射面と、光入射面の外周から光出射面の外周に亘って設けられる光反射側面とを有する。ロッドインテグレータ１０Ｒは、バンドル部１１４Ｒで束ねられた光ファイバー１１３Ｒから出射される赤成分光Ｒを均一化する。すなわち、ロッドインテグレータ１０Ｒは、光反射側面で赤成分光Ｒを反射することによって、赤成分光Ｒを均一化する。
【００５９】
ロッドインテグレータ１０Ｇは、光入射面と、光出射面と、光入射面の外周から光出射面の外周に亘って設けられる光反射側面とを有する。ロッドインテグレータ１０Ｇは、バンドル部１１４Ｇで束ねられた光ファイバー１１３Ｇから出射される緑成分光Ｇを均一化する。すなわち、ロッドインテグレータ１０Ｇは、光反射側面で緑成分光Ｇを反射することによって、緑成分光Ｇを均一化する。
【００６０】
ロッドインテグレータ１０Ｂは、光入射面と、光出射面と、光入射面の外周から光出射面の外周に亘って設けられる光反射側面とを有する。ロッドインテグレータ１０Ｂは、バンドル部１１４Ｂで束ねられた光ファイバー１１３Ｂから出射される青成分光Ｂを均一化する。すなわち、ロッドインテグレータ１０Ｂは、光反射側面で青成分光Ｂを反射することによって、青成分光Ｂを均一化する。
【００６１】
なお、ロッドインテグレータ１０Ｒ、ロッドインテグレータ１０Ｇ及びロッドインテグレータ１０Ｂは、光反射側面がミラー面によって構成された中空ロッドであってもよい。また、ロッドインテグレータ１０Ｒ、ロッドインテグレータ１０Ｇ及びロッドインテグレータ１０Ｂは、ガラスなどによって構成された中実ロッドであってもよい。
【００６２】
ここで、ロッドインテグレータ１０Ｒ、ロッドインテグレータ１０Ｇ及びロッドインテグレータ１０Ｂは、投写面３００に略平行な水平方向（筐体２００の幅方向）に沿って延びる柱状形状を有する。すなわち、ロッドインテグレータ１０Ｒは、ロッドインテグレータ１０Ｒの長手方向が筐体２００の略幅方向に沿うように配置される。同様に、ロッドインテグレータ１０Ｇ及びロッドインテグレータ１０Ｂは、ロッドインテグレータ１０Ｇ及びロッドインテグレータ１０Ｂの長手方向が筐体２００の略幅方向に沿うように配置される。
【００６３】
レンズ２１Ｒは、赤成分光ＲがＤＭＤ５００Ｒに照射されるように、赤成分光Ｒを略平行光化するレンズである。レンズ２１Ｇは、緑成分光ＧがＤＭＤ５００Ｇに照射されるように、緑成分光Ｇを略平行光化するレンズである。レンズ２１Ｂは、青成分光ＢがＤＭＤ５００Ｂに照射されるように、青成分光Ｂを略平行光化するレンズである。
【００６４】
レンズ２２は、赤成分光Ｒ及び緑成分光Ｇの拡大を抑制しながら、ＤＭＤ５００Ｒ及びＤＭＤ５００Ｇ上に赤成分光Ｒ及び緑成分光Ｇを略結像するためのレンズである。レンズ２３は、青成分光Ｂの拡大を抑制しながら、青成分光ＢをＤＭＤ５００Ｂに略結像するためのレンズである。
【００６５】
ミラー３１は、ロッドインテグレータ１０Ｒから出射された赤成分光Ｒを反射する。ミラー３２は、ロッドインテグレータ１０Ｇから出射された緑成分光Ｇを反射して、赤成分光Ｒを透過するダイクロイックミラーである。ミラー３３は、ロッドインテグレータ１０Ｂから出射された青成分光Ｂを透過して、赤成分光Ｒ及び緑成分光Ｇを反射するダイクロイックミラーである。
【００６６】
ミラー３４は、赤成分光Ｒ、緑成分光Ｇ及び青成分光Ｂを反射する。ミラー３５は、赤成分光Ｒ、緑成分光Ｇ及び青成分光Ｂを第２ユニット１４２側に反射する。なお、図６では、説明を簡易にするために、各構成が平面図で示されているが、ミラー３５は、赤成分光Ｒ、緑成分光Ｇ及び青成分光Ｂを高さ方向において斜めに反射する。
【００６７】
第２ユニット１４２は、赤成分光Ｒ、緑成分光Ｇ及び青成分光Ｂを含む合成光を分離して、赤成分光Ｒ、緑成分光Ｇ及び青成分光Ｂを変調する。第２ユニット１４２は、続いて、赤成分光Ｒ、緑成分光Ｇ及び青成分光Ｂを再合成して、映像光を投写ユニット１５０側に出射する。
【００６８】
具体的には、第２ユニット１４２は、レンズ４０と、プリズム５０と、プリズム６０と、プリズム７０と、プリズム８０と、プリズム９０と、複数のＤＭＤ；Ｄｉｇｉｔａｌ  Ｍｉｃｒｏｍｉｒｒｏｒ  Ｄｅｖｉｃｅ（ＤＭＤ５００Ｒ、ＤＭＤ５００Ｇ及びＤＭＤ５００Ｂ）とを有する。
【００６９】
レンズ４０は、各色成分光が各ＤＭＤに照射されるように、第１ユニット１４１から出射された光を略平行光化するレンズである。
【００７０】
プリズム５０は、透光性部材によって構成されており、面５１及び面５２を有する。プリズム５０（面５１）とプリズム６０（面６１）との間にはエアギャップが設けられており、第１ユニット１４１から出射される光が面５１に入射する角度（入射角）が全反射角よりも大きいため、第１ユニット１４１から出射される光は面５１で反射される。一方で、プリズム５０（面５２）とプリズム７０（面７１）との間にはエアギャップが設けられるが、第１ユニット１４１から出射される光が面５２に入射する角度（入射角）が全反射角よりも小さいため、面５１で反射された光は面５２を透過する。
【００７１】
プリズム６０は、透光性部材によって構成されており、面６１を有する。
【００７２】
プリズム７０は、透光性部材によって構成されており、面７１及び面７２を有する。プリズム５０（面５２）とプリズム７０（面７１）との間にはエアギャップが設けられており、面７２で反射された青成分光Ｂ及びＤＭＤ５００Ｂから出射された青成分光Ｂが面７１に入射する角度（入射角）が全反射角よりも大きいため、面７２で反射された青成分光Ｂ及びＤＭＤ５００Ｂから出射された青成分光Ｂは面７１で反射される。
【００７３】
面７２は、赤成分光Ｒ及び緑成分光Ｇを透過して、青成分光Ｂを反射するダイクロイックミラー面である。従って、面５１で反射された光のうち、赤成分光Ｒ及び緑成分光Ｇは面７２を透過し、青成分光Ｂは面７２で反射される。面７１で反射された青成分光Ｂは面７２で反射される。
【００７４】
プリズム８０は、透光性部材によって構成されており、面８１及び面８２を有する。プリズム７０（面７２）とプリズム８０（面８１）との間にはエアギャップが設けられており、面８１を透過して面８２で反射された赤成分光Ｒ及びＤＭＤ５００Ｒから出射された赤成分光Ｒが再び面８１に入射する角度（入射角）が全反射角よりも大きいため、面８１を透過して面８２で反射された赤成分光Ｒ及びＤＭＤ５００Ｒから出射された赤成分光Ｒは面８１で反射される。一方で、ＤＭＤ５００Ｒから出射されて面８１で反射された後に面８２で反射された赤成分光Ｒが再び面８１に入射する角度（入射角）が全反射角よりも小さいため、ＤＭＤ５００Ｒから出射されて面８１で反射された後に面８２で反射された赤成分光Ｒは面８１を透過する。
【００７５】
面８２は、緑成分光Ｇを透過して、赤成分光Ｒを反射するダイクロイックミラー面である。従って、面８１を透過した光のうち、緑成分光Ｇは面８２を透過し、赤成分光Ｒは面８２で反射される。面８１で反射された赤成分光Ｒは面８２で反射される。ＤＭＤ５００Ｇから出射された緑成分光Ｇは面８２を透過する。
【００７６】
ここで、プリズム７０は、赤成分光Ｒ及び緑成分光Ｇを含む合成光と青成分光Ｂとを面７２によって分離する。プリズム８０は、赤成分光Ｒと緑成分光Ｇとを面８２によって分離する。すなわち、プリズム７０及びプリズム８０は、各色成分光を分離する色分離素子として機能する。
【００７７】
なお、第１実施形態では、プリズム７０の面７２のカットオフ波長は、緑色に相当する波長帯と青色に相当する波長帯との間に設けられる。プリズム８０の面８２のカットオフ波長は、赤色に相当する波長帯と緑色に相当する波長帯との間に設けられる。
【００７８】
一方で、プリズム７０は、赤成分光Ｒ及び緑成分光Ｇを含む合成光と青成分光Ｂとを面７２によって合成する。プリズム８０は、赤成分光Ｒと緑成分光Ｇとを面８２によって合成する。すなわち、プリズム７０及びプリズム８０は、各色成分光を合成する色合成素子として機能する。
【００７９】
プリズム９０は、透光性部材によって構成されており、面９１を有する。面９１は、緑成分光Ｇを透過するように構成されている。なお、ＤＭＤ５００Ｇへ入射する緑成分光Ｇ及びＤＭＤ５００Ｇから出射された緑成分光Ｇは面９１を透過する。
【００８０】
ＤＭＤ５００Ｒ、ＤＭＤ５００Ｇ及びＤＭＤ５００Ｂは、複数の微少ミラーによって構成されており、複数の微少ミラーは可動式である。各微少ミラーは、基本的に１画素に相当する。ＤＭＤ５００Ｒは、各微少ミラーの角度を変更することによって、投写ユニット１５０側に赤成分光Ｒを反射するか否かを切り替える。同様に、ＤＭＤ５００Ｇ及びＤＭＤ５００Ｂは、各微少ミラーの角度を変更することによって、投写ユニット１５０側に緑成分光Ｇ及び青成分光Ｂを反射するか否かを切り替える。
【００８１】
投写ユニット１５０は、投写レンズ群１５１と、凹面ミラー１５２とを有する。
【００８２】
投写レンズ群１５１は、色分離合成ユニット１４０から出射された光（映像光）を凹面ミラー１５２側に出射する。
【００８３】
凹面ミラー１５２は、投写レンズ群１５１から出射された光（映像光）を反射する。凹面ミラー１５２は、映像光を集光した上で、映像光を広角化する。例えば、凹面ミラー１５２は、投写レンズ群１５１側に凹面を有する非球面ミラーである。
【００８４】
凹面ミラー１５２で集光された映像光は、天板２４０に設けられた天板凹部１８０の傾斜面１８１に設けられた透過領域を透過する。傾斜面１８１に設けられた透過領域は、凹面ミラー１５２によって映像光が集光される位置近傍に設けられることが好ましい。
【００８５】
凹面ミラー１５２は、上述したように、前面側凸部１７０によって形成される空間に収容される。例えば、凹面ミラー１５２は、前面側凸部１７０の内側に固定されることが好ましい。また、前面側凸部１７０の内側面の形状は、凹面ミラー１５２に沿った形状であることが好ましい。
【００８６】
（第１インタフェースの構成）
以下において、第１実施形態に係る第１インタフェースの構成について、図面を参照しながら説明する。図７は、第１実施形態に係る第１Ｉ／Ｆ１９０Ａの構成を示す図である。
【００８７】
図７に示すように、投写型映像表示装置１００は、第１側面側側壁２５０に第１Ｉ／Ｆ１９０Ａを有する。
【００８８】
第１Ｉ／Ｆ１９０Ａは、下部の領域に、電源端子６１０と２つの映像端子６１１が設けられている。左側の領域には、電源ユニット１２０を介して、光源ユニット１１０、冷却ユニット１３０及びＤＭＤ５００などの各種回路へ供給される電力のブレーカ６１２が設けられている。右側上部の領域には、投写型映像表示装置１００内で発生したエラーの内容を、エラー番号で示すためのデジタル表示器６１３と、投写型映像表示装置１００内に複数個設けられている図示しない冷却ファンについて、いずれの冷却ファンにエラーが生じたかを表示するマトリクス表示器６１４とが設けられている。
【００８９】
（第２インタフェースの構成）
以下において、第１実施形態に係る第２インタフェースの構成について、図面を参照しながら説明する。図８は、第１実施形態に係る第２Ｉ／Ｆ１９０Ｂを示す図である。
【００９０】
図８に示すように、投写型映像表示装置１００は、前面側側壁２２０に第２Ｉ／Ｆ１９０Ｂを有する。
【００９１】
第２Ｉ／Ｆ１９０Ｂは、図示しないリモートコントローラからの赤外線による信号を受光する受光部６１５が設けられている。受光部６１５は、あらゆる角度からの信号を可及的に受光できるよう、第２Ｉ／Ｆ１９０Ｂに中でも最も筐体２００の中央に近い位置に設けられている。第２Ｉ／Ｆ１９０Ｂは、４つのＬＥＤ表示器６１６、６１７、６１８、６１９が設けられている。
【００９２】
ＬＥＤ表示器６１６は、投写型映像表示装置１００近傍に人などの物体が侵入した場合に、物体の侵入を検知するシステムが作動しているか否かを表示する侵入検知システム用表示器である。ＬＥＤ表示器６１６は、システムが作動しているときに、緑色のＬＥＤが点灯するように設定されている。
【００９３】
ＬＥＤ表示器６１７は、侵入検知システムにより物体の侵入が検知され、投写型映像表示装置１００が黒表示となっていることを示す表示器である。ＬＥＤ表示器６１７は、物体の侵入が検知されて黒表示となっているときに、黄色のＬＥＤが点灯するように設定されている。
【００９４】
ＬＥＤ表示器６１８は、投写型映像表示装置１００内の構成部品にエラーが生じ、投写型映像表示装置１００による投写を停止した（固体光源１１１の発光を停止した）ことを示す表示器である。ＬＥＤ表示器６１８は、投写型映像表示装置１００による投写を停止しているときに、赤色のＬＥＤが点灯するように設定されている。
【００９５】
ＬＥＤ表示器６１９は、投写型映像表示装置１００が商用電源に接続され、各種のブレーカ６１２がＯＮとなったことを示す表示器である。ＬＥＤ表示器６１９は、各種回路に電力が供給され、投写準備状態となっているときに、青色のＬＥＤが点灯するように設定されている。
【００９６】
（投写型映像表示装置の機能）
以下において、第１実施形態に係る投写型映像表示装置の機能について、図面を参照しながら説明する。図９は、第１実施形態に係る投写型映像表示装置１００に設けられた制御ユニット７００を示すブロック図である。
【００９７】
ここで、制御ユニット７００は、光源制御部７１０と、冷却制御部７２０と、素子制御部７３０と、エラー検出部７４０と、表示制御部７５０とを有する。
【００９８】
光源制御部７１０は、光源ユニット１１０に設けられた固体光源１１１への電力を制御する。具体的には、光源制御部７１０は、投写型映像表示装置１００を構成する各種の構成部品に異常が発生した場合に、固体光源１１１から出射される光が、投写型映像表示装置１００の外部へ投写されないように制御する。すなわち、光源制御部７１０は、光源ユニット１１０への入力電力をＯＦＦにする。なお、光源制御部７１０は、電源ユニット１２０へ指令して、投写型映像表示装置１００全体への電力をＯＦＦにしてもよい。
【００９９】
冷却制御部７２０は、図示しないサーミスタなどから投写型映像表示装置１００を構成する各構成部品の温度についての情報を受け取る。冷却制御部７２０は、温度情報に基づいて、冷却ユニット１３０を制御する。
【０１００】
素子制御部７３０は、ＤＶＤやＴＶチューナなどの外部装置から映像入力信号を受信する。映像入力信号は、フレーム毎の信号であり、赤入力信号Ｒｉｎ、緑入力信号Ｇｉｎ及び青入力信号Ｂｉｎを含む。素子制御部７３０は、映像入力信号を映像出力信号に変換する。映像出力信号は、フレーム毎の信号であり、赤出力信号Ｒｏｕｔ、緑出力信号Ｇｏｕｔ及び青出力信号Ｂｏｕｔを含む。また、素子制御部７３０は、映像出力信号に基づいて、ＤＭＤ５００を制御する。
【０１０１】
素子制御部７３０は、投写型映像表示装置１００近傍に物体が入ったことを示す情報が取得された場合に、固体光源１１１から出射される光が、投写型映像表示装置１００の外部へ投写されないように、ＤＭＤ５００を制御する。すなわち、素子制御部７３０は、投写型映像表示装置１００近傍に物体が入った場合に、ＤＭＤ５００に黒表示させる。
【０１０２】
エラー検出部７４０は、投写型映像表示装置１００を構成する各種の構成部品に異常（エラー）が発生した場合に、異常が発生した場所と異常の内容とを検出する。具体的には、投写型映像表示装置１００近傍に物体が侵入したか、投写型映像表示装置１００の構成部品に異常が発生したかを判別する。また、エラー検出部７４０は、構成部品の異常の場合には、構成部品の部品番号と共に、サーミスタから検出された温度異常か、電圧計などから検出された動作異常か、といった異常の内容を特定する。
【０１０３】
表示制御部７５０は、エラー検出部７４０から送信されたエラー信号に基づいて、デジタル表示器６１３、マトリクス表示器６１４、ＬＥＤ表示器６１６、６１７、６１８、６１９を制御する。具体的には、エラー検出部７４０により特定された部品番号と異常の内容に基づいて、予め設定されたエラー番号をデジタル表示器６１３に表示させる。また、同様の部品が複数個設けられている冷却ファンや固体光源１１１のような部品については、いずれの部品に異常が生じたかを、マトリクス表示器６１４に表示させる。すなわち、投写型映像表示装置１００内部で生じた異常に関する詳細な情報を、デジタル表示器６１３およびマトリクス表示器６１４に表示させる。
【０１０４】
表示制御部７５０は、投写型映像表示装置１００近傍に物体が侵入したことによって、映像が投写されなくなったのか、あるいは、投写型映像表示装置１００の構成部品に異常が発生して、映像が投写されなくなったのか、といった異常のレベルをＬＥＤ表示器６１７、６１８に表示させる。そのほか、侵入検知システムが作動しているか、投写型映像表示装置１００が商用電源に接続されて投写準備状態となっているか、といったユーザが通常の使用に必要な情報を、ＬＥＤ表示器６１６、６１９に表示させる。
【０１０５】
（作用及び効果）
第１実施形態では、第１Ｉ／Ｆ１９０Ａは、筐体２００の幅方向における筐体２００の両側壁（第１側面側側壁２５０及び第２側面側側壁２６０）のうち、少なくともいずれか一方の側壁に設けられる。すなわち、表示するデータ量が多くなる詳細情報については、ユーザが投写面を観察している位置からは隠されている。従って、エラー表示が投写される映像の妨げになることを抑制できる。
【０１０６】
一方、第１実施形態では、第２Ｉ／Ｆ１９０Ｂは、投写面３００の反対側に設けられた筐体２００の前面側側壁２２０に設けられる。従って、ユーザは、投写面を観察している位置から、投写型映像表示装置１００の状態やエラーのレベルを知ることができる。従って、固体光源１１１から光が出射されている状態で、ユーザが筐体２００に近づくことを抑制することができる。
【０１０７】
加えて、第１実施形態では、第１Ｉ／Ｆ１９０Ａは、外部機器との接続が可能な電源端子６１０や映像端子６１１を備えている。すわなち、電源ケーブルを電源端子６１０から抜き挿しする場合や、映像入力ケーブルを映像端子６１１に抜き挿しする場合において、ユーザが筐体２００の前面側側壁２２０に近づく必要がない。従って、ユーザが筐体２００の前面側側壁２２０に近づく可能性が低減される。
【０１０８】
〔変形例１〕
以下において、第１実施形態の変形例１について、図面を参照しながら説明する。以下においては、第１実施形態との相違点について主として説明する。図１０は、変形例１に係る投写型映像表示装置１００を示す斜視図である。
【０１０９】
具体的には、第１実施形態では、第２Ｉ／Ｆ１９０Ｂは前面側側壁２２０に設けられる。これに対して、変形例１では、第２Ｉ／Ｆ１９０Ｂは天板２４０に設けられる。
【０１１０】
図１０に示すように、投写型映像表示装置１００を、投写型映像表示装置１００の底面板２３０を天井に向けて設置するケースについて例示する。第２Ｉ／Ｆ１９０Ｂは、投写型映像表示装置１００が設置される高さによって、前面側側壁２２０よりも天板２４０にもけられた方が、ユーザからＬＥＤ表示器６１６、６１７、６１８、６１９を観察しやすい。具体的には、大きなホールに設けられたステージの天井（例えば、高さ５ｍ以上）に設置される場合、ユーザは天板２４０の方が観察しやすいと考えられる。このような場合は、第２Ｉ／Ｆ１９０Ｂを天板２４０に設けるとよい。
【０１１１】
［第２実施形態］
以下において、第２実施形態について、図面を参照しながら説明する。以下においては、第１実施形態との相違点について主として説明する。
【０１１２】
具体的には、第１実施形態では、投写型映像表示装置１００が壁面に設けられた投写面３００に映像光を投写するケースについて例示した。これに対して、第２実施形態では、投写型映像表示装置１００が床面に設けられた投写面３００に映像光を投写するケースについて例示する（床面投写）。このようなケースにおける筐体２００の配置を床面投写配置と称する。
【０１１３】
（投写型映像表示装置の構成）
以下において、第２実施形態に係る投写型映像表示装置の構成について、図面を参照しながら説明する。図１１は、第２実施形態に係る投写型映像表示装置１００を側方から見た図である。
【０１１４】
図１１に示すように、投写型映像表示装置１００は、床面に設けられた投写面３００に映像光を投写する（床面投写）。第２実施形態では、投写面３００と略平行な第１配置面は床面４１０である。第１配置面に略垂直な第２配置面は壁面４２０である。
【０１１５】
第２実施形態では、投写面３００に平行な水平方向を“幅方向”と称する。投写面３００の法線方向を“高さ方向”と称する。幅方向及び高さ方向の双方に直交する方向を“奥行き方向”と称する。
【０１１６】
第２実施形態では、筐体２００は、第１実施形態と同様に、略直方体形状を有する。奥行き方向における筐体２００のサイズ及び高さ方向における筐体２００のサイズは、幅方向における筐体２００のサイズよりも小さい。高さ方向における筐体２００のサイズは、反射ミラー（図２に示す凹面ミラー１５２）から投写面３００までの投写距離と略等しい。幅方向において、筐体２００のサイズは、投写面３００のサイズと略等しい。奥行き方向において、筐体２００のサイズは、壁面４２０から投写面３００までの距離に応じて定められる。
【０１１７】
投写面側側壁２１０は、投写面３００と略平行な第１配置面（第２実施形態では、床面４１０）と対向する板状の部材である。前面側側壁２２０は、投写面側側壁２１０の反対側に設けられた板状の部材である。天板２４０は、底面板２３０の反対側に設けられた板状の部材である。底面板２３０は、投写面３００と略平行な第１配置面以外の第２配置面（第２実施形態では、壁面４２０）と対向する板状の部材である。第１側面側側壁２５０及び第２側面側側壁２６０は、幅方向において筐体２００の両端を形成する板状の部材である。
【０１１８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１９】
第１実施形態では、筐体２００が配置される壁面４２０上に投写面３００が設けられるが、実施形態はこれに限定されるものではない。投写面３００は、筐体２００から離れる方向において、壁面４２０よりも奥まった位置に設けられてもよい。
【０１２０】
第２実施形態では、筐体２００が配置される床面４１０上に投写面３００が設けられるが、実施形態はこれに限定されるものではない。投写面３００は、床面４１０よりも低い位置に設けられてもよい。
【０１２１】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、透過型の液晶パネルであってもよく、反射型の液晶パネルであってもよい。
【符号の説明】
【０１２２】
１０…ロッドインテグレータ、２１〜２３…レンズ、３１〜３５…ミラー、４０…レンズ、５０…プリズム、６０…プリズム、７０…プリズム、８０…プリズム、９０…プリズム、１００…投写型映像表示装置、１１０…光源ユニット、１１１…固体光源、１１２…ヘッド、１１３…光ファイバー、１１４…バンドル部、１２０…電源ユニット、１３０…冷却ユニット、１３１…冷却ジャケット、１４０…色分離合成ユニット、１４１…第１ユニット、１４２…第２ユニット、１５０…投写ユニット、１５１…投写レンズ群、１５２…凹面ミラー、１６０…投写面側凹部、１７０…前面側凸部、１８０…天板凹部、１８１…傾斜面、１９０…インタフェース（１９０Ａ…第１Ｉ／Ｆ、１９０Ｂ…第２Ｉ／Ｆ）、２００…筐体、２１０…投写面側側壁、２２０…前面側側壁、２３０…底面板、２４０…天板、２５０…第１側面側側壁、２６０…第２側面側側壁、３００…投写面、４１０…床面、４２０…壁面、５００…ＤＭＤ、６１０…電源端子、６１１…映像端子、６１２…ブレーカ、６１３…デジタル表示器、６１４…マトリクス表示器、６１５…受光部、６１６〜６１９…ＬＥＤ表示器、７００…制御ユニット、７１０…光源制御部、７２０…冷却制御部、７３０…素子制御部、７４０…エラー検出部、７５０…表示制御部
【図１】
2010243909.tif 000003
【図２】
2010243909.tif 000004
【図３】
2010243909.tif 000005
【図４】
2010243909.tif 000006
【図５】
2010243909.tif 000007
【図６】
2010243909.tif 000008
【図７】
2010243909.tif 000009
【図８】
2010243909.tif 000010
【図９】
2010243909.tif 000011
【図１０】
2010243909.tif 000012
【図１１】
2010243909.tif 000013